(57)【要約】【課題】検者の手間と被検者の待ち時間の負担を軽減できる眼科装置システムを提供する。【解決手段】顎台を持つ検眼装置ユニット、検眼ユニットを搭載するテーブルを持つ電動光学台ユニット、又は座部を持つ検眼椅子ユニットの少なくとも一つのユニットを有する眼科装置システムであって、各ユニットの少なくとも一つは、そのユニットが持つ被調節部材である顎台、テーブル又は座部の高さ位置を電動駆動により調節する調節手段と、調節手段により被検者に応じて調節された被調節部材の高さ位置を検出する検出手段と、検出手段により検出された位置情報を記憶する記憶手段と、記憶手段に記憶された位置情報を呼び出す呼び出し手段と、呼び出された位置情報に基づいて調節手段の駆動を制御する制御手段と、を備える。【選択図】　　　図１
2004033275.tif 000002
【特許請求の範囲】
【請求項１】
被検者の顎を固定する顎台を持つ検眼装置ユニット、検眼ユニットを搭載するテーブルを持つ電動光学台ユニット、又は被検者が座る座部を持つ検眼椅子ユニットの少なくとも一つのユニットを有する眼科装置システムであって、前記各ユニットの少なくとも一つは、そのユニットが持つ被調節部材である顎台、テーブル又は座部の高さ位置を電動駆動により調節する調節手段と、該調節手段により被検者に応じて調節された前記被調節部材の高さ位置を検出する検出手段と、該検出手段により検出された位置情報を記憶する記憶手段と、該記憶手段に記憶された位置情報を呼び出す呼び出し手段と、該呼び出された位置情報に基づいて前記調節手段の駆動を制御する制御手段と、を備えることを特徴とする眼科装置システム。
【請求項２】
請求項１の記憶手段は、被検者毎に与えられる記録媒体に検出された位置情報を記録させる手段であることを特徴とする眼科装置システム。
【請求項３】
請求項１の眼科装置システムにおいて、被検者の識別データを入力する入力手段を備え、前記記憶手段は前記検出手段により検出された位置情報を前記入力手段により入力された被検者の識別データに関連させて記憶し、前記呼び出し手段は前記記憶手段に記憶された位置情報を前記入力手段により再び入力された被検者の識別データに基づいて呼び出すことを特徴とする眼科装置システム。
【発明の詳細な説明】
【０００１】
【発明の属する技術分野】
本発明は、眼屈折力測定装置等の検眼装置、この検眼装置を搭載するための電動光学台、または検眼時に使用する検眼椅子の少なくとも一つを備える眼科装置システムに関する。
【０００２】
【従来技術】
眼底カメラや眼屈折力測定装置等の据え置き型の検眼装置は、通常、被検者の顔を固定するための顎台（顎受け台）を持つ。また、据え置き型の検眼装置は、電動光学台に搭載されて使用される。検眼時には、検眼装置が持つ検眼光軸（撮影光軸、測定光軸）と被検眼との概略的な高さを合わせるために、顎台の高さを調節する。また、電動光学台のテーブルについても、被検者の膝との距離を留意しつつ、概略的な高さを調節する。
従来、電動光学台のテーブルの高さは、検者がＵＰ／ＤＯＷＮスイッチを操作して調節していた。また、検眼装置側の顎台の高さについても、手動のものが多く、検者が回転ノブを操作して調節していた。
【０００３】
【発明が解決しようとする課題】
しかしながら、従来のこれらの装置では、過去に同一の装置で検眼したことのある被検者でも、直前に検眼した被検者と被検眼の高さが異なる場合が多いので、その都度、顎台やテーブルの高さを調節する必要がある。このため、被検者が変わる度に煩雑な高さ調節の手間が掛り、被検者も待ち時間の負担があった。
【０００４】
本発明は、上記問題点に鑑み、検者の手間と被検者の待ち時間の負担を軽減できる眼科装置システムを提供することを技術課題とする。
【０００５】
【課題を解決するための手段】
上記課題を解決するために、本発明は以下のような構成を備えることを特徴とする。
（１）　被検者の顎を固定する顎台を持つ検眼装置ユニット、検眼ユニットを搭載するテーブルを持つ電動光学台ユニット、又は被検者が座る座部を持つ検眼椅子ユニットの少なくとも一つのユニットを有する眼科装置システムであって、前記各ユニットの少なくとも一つは、そのユニットが持つ被調節部材である顎台、テーブル又は座部の高さ位置を電動駆動により調節する調節手段と、該調節手段により被検者に応じて調節された前記被調節部材の高さ位置を検出する検出手段と、該検出手段により検出された位置情報を記憶する記憶手段と、該記憶手段に記憶された位置情報を呼び出す呼び出し手段と、該呼び出された位置情報に基づいて前記調節手段の駆動を制御する制御手段と、を備えることを特徴とする。（２）　（１）の記憶手段は、被検者毎に与えられる記録媒体に検出された位置情報を記録させる手段であることを特徴とする。
（３）　（１）の眼科装置システムにおいて、被検者の識別データを入力する入力手段を備え、前記記憶手段は前記検出手段により検出された位置情報を前記入力手段により入力された被検者の識別データに関連させて記憶し、前記呼び出し手段は前記記憶手段に記憶された位置情報を前記入力手段により再び入力された被検者の識別データに基づいて呼び出すことを特徴とする。
【０００６】
【発明の実施の形態】
本発明の実施形態を図面に基づいて説明する。図１は本発明に係る検眼装置ユニット、電動光学台ユニット、検眼椅子ユニットを含む眼科装置システムの外観図である。
１は電動光学台、３０は検眼装置、６０は被検者が座る椅子である。電動光学台１は、検眼装置３０を搭載するテーブル１ａを持つ。２はテーブル１ａの上下移動を行うスライド部、３はスライド部２を支える基部である。４はスライド部２を上下に移動させる際に操作するスイッチである。スイッチ４はＵＰボタンとＤＯＷＮボタンとを備える。ＵＰボタンを押すとスライド部２が上方にスライドし、ＤＯＷＮボタンを押すとスライド部２が下方にスライドし、テーブル１ａを検者の所望する高さに調節できる。７はスライド部２を初期位置に移動させるリセットスイッチであり、８は電動光学台１の電源スイッチである。５はＩＣカードリーダ・ライタであり、テーブル１ａ上に置かれている。
【０００７】
検眼装置３０は、例えば、眼屈折力測定装置や眼底カメラ等のように被検眼を検査、撮影するものであり、特に限定されない。検眼装置３０はベース３１に固定された顔支持部３２を備える。顔支持部３２には上下移動可能な顎台３３が設けられている。顎台３３は電動駆動される。ベース３１上には水平方向に移動可能な移動台３５が設けられており、移動台３５には検眼光学系が配置された検眼部３６が搭載されている。３７は顎台３３を上下移動する際に操作するスイッチ、３８は電源スイッチである。
【０００８】
図２は電動光学台１が備えるテーブル１ａの上下移動機構を説明する図である。スライド部２に取り付けられたモータ１０の回転軸にはギヤ１１ａが取り付けられており、ギヤ１１ａには送りネジ１２に設けられたギヤ１１ｂが噛み合っている。基部３側には送りネジ１２に対するナット部１３が取り付けられている。モータ１０の回転により送りネジ１２が回転し、これに伴ってスライド部２が上下移動する。また、スライド部２にはエンコーダ１５が設けられている。エンコーダ１５は、モータ１０の回転軸に取り付けられたスリット板１５ａと、このスリット板１の回転状態を光学的に検出するフォトイントラプタ１５ｂからなり、モータ１０の回転に応じてパルス信号を出力する。
【０００９】
また、スライド部２の上下移動可能範囲の上限と下限を検知するため、基部３にはマイクロスイッチ１４ａとマイクロスイッチ１４ｂが設けられている。スライド部２の下端部２ａがマイクロスイッチ１４ａ又は１４ｂに触れると、モータ１０の回転が停止するように制御される。スライド部２（すなわち被調節部材であるテーブル１ａ）の上下移動の初期位置は、マイクロスイッチ１４ｂで検知される下限位置（基準位置）より一定距離分だけ上方の位置とされている。テーブル１ａの高さ位置は、エンコーダ１５から出力されるパルス数により検出される。
【００１０】
図３は検眼装置３０が備える顎台３３の上下移動機構を説明する図である。顔支持部３２にはモータ４０が設けられており、その回転軸には送りネジ４１が連結されている。顎台３３の支柱４３は上下移動可能に顔支持部３２に支持されており、支柱４３の内部には送りネジ４１に対応す雌ネジが切られている。この構成により、モータ４０を回転させると、支柱４３と共に被調節部材である顎台３３が上下移動する。また、顔支持部３２には、電動光学台１側のエンコーダ１５と同様なエンコーダ４５が設けられている。エンコーダ４５はモータ４０の回転に応じてパルス信号を出力する。
【００１１】
４６ａ、４６ｂは、支柱４３の上下移動の上限と下限を検知するマイクロスイッチである。支柱４３（すなわち顎台３３）の上下移動の初期位置は、マイクロスイッチ４６ｂで検知される下限位置（基準位置）より一定距離分だけ上方の位置とされている。顎台３３の高さ位置は、エンコーダ４５から出力されるパルス数により検出される。
【００１２】
図４は電動光学台１と検眼装置３０の制御系ブロック図である。２０は電動光学台１の制御部、２２はメモリである。メモリ２２はエンコーダ１５より送られるパルス情報を記憶する。５０は検眼装置３０の制御部である。５１はメモリで、エンコーダ４５より送られるパルス情報を記憶する。また、ＩＣカードリーダ・ライタ５は、制御部２０、制御部３０の両者に接続されている。６は被検者毎に与えられるＩＣカードである。
【００１３】
以上のような構成において、その動作を説明する。
＜位置情報の記憶＞
電動光学台１の電源スイッチ８が押されると、制御部２０はテーブル１を初期位置にセットすべく、モータ１０を回転させてスライド部２を下げ、マイクロスイッチ１５ｂに下限位置が検知されたら、エンコーダ１５から出力されるパルス数によって一定距離分だけ上昇させる。同様に、検眼装置３０の電源スイッチ３８が押されると、制御部５０はモータ４０を回転させて顎台３３を下げた後、マイクロスイッチ４６ｂとエンコーダ４５からの出力信号に基づいて顎台３３を初期位置にセットする。
【００１４】
被検者を椅子６０に座らせた後、検者は被検者の膝の高さや検眼装置３０の検眼光軸の高さ位置に留意して、ＵＰ／ＤＯＷＮスイッチ４を用いてスライド部２を上方又は下方にスライドさせ、テーブル１ａの高さ位置を調節する。続いて、検眼装置３０の顎台３３に被検者の顎をの載せ、被検者の顔を顔支持部３２により固定する。このとき、顔支持部３２が持つ額当ての支柱に設けられたアイレベルマーカに被検眼の高さが合うように、ＵＰ／ＤＯＷＮスイッチ３７を用いて顎台３３の高さを調節する。その後、検眼装置３０により検眼する。
【００１５】
次にＩＣカード６に高さ情報を記録する方法を説明する。ＩＣカードリーダ・ライタ５には、ＩＣチップの組込まれたＩＣカード６を予め挿入しておく。検眼装置３０により検眼終了後、データ出力スイッチ３９を押すと、制御部５０は検眼データと共に、顎台３３の位置情報をＩＣカードリーダ・ライタ５に出力する。顎台３３の位置情報はエンコーダ４５からのパルス数により、基準位置からの高さ情報として得られている。ＩＣカードリーダ・ライタ５は、出力されてきた検眼データと顎台３３の位置情報をＩＣカード６に書込み、記憶させる。また、ＩＣカードリーダ・ライタ５は、検眼装置３０からデータが出力されてくると、これをトリガとして電動光学台１の制御部２０に、高さ情報の出力を要求する信号を制御部２０に送る。制御部２０はエンコーダ１５により得られたテーブル１ａの位置情報をＩＣカードリーダ・ライタ５に出力する。テーブル１ａの位置情報も基準位置からの高さ情報として得られている。ＩＣカードリーダ・ライタ５は、制御部２０から出力されてきたテーブル１ａの位置情報をＩＣカード６に書込み、記憶させる。
【００１６】
＜再検診時の位置調節＞
被検者毎に与えられているＩＣカード６を、ＩＣカードリーダ・ライタ５に挿入する。ＩＣカードリーダ・ライタ５は、ＩＣカード６の挿入をトリガとして、ＩＣカード６に記憶されている顎台３３及びテーブル１ａの位置情報を呼び出し、これをそれぞれ制御部５０及び制御部２０に出力する。制御部２０は出力されてきたテーブル１ａの位置情報と現在のテーブル１ａの位置情報を比較し、ずれていれば一致するようにモータ１０を駆動制御する。同様に、検眼装置３０側の制御部５０は、出力されてきた顎台３３の位置情報に合うようにモータ４０を駆動制御する。検者は、テーブル１ａの高さ位置及び顎台３３の高さ位置を確認し、必要に応じてスイッチ４、スイッチ３７を操作して各位置を微調整する。
【００１７】
このようにすると、２度目以降に同じ装置を用いて検眼する被検者に対しては、電動光学台１のテーブル１ａ及び検眼装置３０の顎台３３の高さ位置を、前回の検眼時と同じ高さに調節することができ、位置調節の手間が少なくなり、検者や被検者への負担が軽減される。被検者１人あたりの検眼時間を節約にできるので、検眼を効率的に行え、特に集団検診時に有効である。
【００１８】
上記ではテーブル１ａ及び顎台３３の位置情報を、ＩＣカード６により被検者毎に区別して記憶させる方法を説明したが、次のようにしても良い。その変容例を図５のブロック図を用いて説明する。
この変容例では、ＩＣカードリーダ・ライタ５に代えて、被検者のＩＤ番号を入力する入力装置７０が制御部２０、制御部５０にそれぞれ接続されている。ＩＤ番号は、ＩＤカード７１を入力装置７０に挿入することで読み取られ、制御部２０及び制御部５０にそれぞれ入力される。入力装置７０をバーコードリーダとすることもできる。電動光学台１の制御部２０は、被検者に応じて調節されたテーブル１ａの位置情報を、入力された被検者のＩＤ番号と関連つけてメモリ２３に記憶する。同様に、検眼装置３０の制御部５０は、被検者に応じて調節された顎台３３の位置情報を、入力された被検者のＩＤ番号と関連つけてメモリ５２に記憶する。
【００１９】
再検査時に、再び入力装置７０により被検者のＩＤ番号を入力すると、制御部２０は、メモリ２３にＩＤ番号と関連つけて記憶されているテーブル１ａの位置情報を呼び出し、その位置に合うようにモータ１０を駆動制御する。また、制御部５０も、メモリ５２にＩＤ番号と関連つけて記憶されている顎台３３の位置情報を呼び出し、その位置に合うようにモータ４０を駆動制御する。こうして、テーブル１ａ及び顎台３３の高さが、前回の検眼時と同じに調節される。
【００２０】
また、被検者の検眼情報を電子カルテとして一括管理するサーバを設けている場合には、このサーバと検眼装置３０及び電動光学台１を接続し、検眼情報と共にテーブル１ａや顎台３３の位置情報を記憶しておく。この場合も、各位置情報は検眼情報と共に被検者毎のＩＤ番号と関連つけて記憶しておく。再検査時には、被検者のＩＤ番号を入力装置７０に入力することにより、制御部２０及び制御部５０はサーバから位置情報を呼び出す。
【００２１】
図６は、テーブル１ａの高さ位置検出における別の例を示す図である。図６において、１００は測距センサであり、被検者の膝ＰＫをテーブル１ａの下に置いたときに、膝ＰＫの上方となるテーブル１ａの下面に取り付けられている。測距センサ１００は、赤外光の発光素子と受光素子を設けた光学式タイプ、超音波発振器と検出器を持つ超音波式タイプのものが使用できる。テーブル１ａの高さ位置は、被検者の膝ＰＫを基準位置として測距センサ１００により検出される。電動光学台１の制御部２０は、測距センサ１００により検出される位置情報を、先の例のエンコーダ１５の検出情報に代えて使用する。
【００２２】
また、椅子６０も電動駆動タイプにし、電動光学台１と同様な上下移動機構を設け、ＩＣカードリーダ・ライタ５等に接続することにより、椅子６０にも本発明を適用可能である。椅子６０は、被検者が座る座部６１と、座部６１が取り付けられたスライド部６２と、スライド部６２を上下移動可能に支持する基部６３を備える。被調節部材である座部６１の上下移動機構、制御系の構成要素は、図２、図３、図４に示される電動光学台１の構成要素と同様なものが使用できるので、説明は省略する。検眼装置３０を搭載する架台が固定式の場合には、椅子６０に本発明を適用すると、特に都合が良い。
【００２３】
【発明の効果】
以上説明したように、本発明によれば、検者の手間と被検者の待ち時間の負担を軽減でき、検眼を効率良く行える。
【図面の簡単な説明】
【図１】実施例の眼科装置システムの外観図を示す図である。
【図２】電動光学台の上下移動機構を示す図である。
【図３】検眼装置の顎台の上下移動機構を示す図である。
【図４】電動光学台と検眼装置の顎台の制御系ブロック図である。
【図５】変容例の制御系ブロック図である。
【図６】テーブルの高さ検出方法の変容例である。
【符号の説明】
１　電動光学台
５　ＩＣカードリーダ・ライタ
１０　モータ
１５　エンコーダ
３０　検眼装置
３３　顎台
４０　モータ
４５　エンコーダ
６０　検眼椅子
【図１】
2004033275.tif 000003
【図２】
2004033275.tif 000004
【図３】
2004033275.tif 000005
【図４】
2004033275.tif 000006
【図５】
2004033275.tif 000007
【図６】
2004033275.tif 000008